(57)【要約】【課題】  安全にかつ容易に異種のエッセンシャルオイルまたはアロマオイルのブレンド芳香揮発成分を拡散する装置を提供する。【解決手段】  異なる種類のアロマオイルまたはエッセンシャルオイルを各々収容する複数のオイルカートリッジ４を内部に配置するハウジング２、３と、前記ハウジング内に設けられた送風機５と、を備え、前記複数のオイルカートリッジ４から揮発した、異なる種類の前記アロマオイルまたはエッセンシャルオイルの芳香揮発成分を前記ハウジング２、３内で混合し、放散することを特徴とする、芳香拡散装置である。【選択図】  図１
2019181211.tif 000002
【特許請求の範囲】
【請求項１】
異なる種類のアロマオイルまたはエッセンシャルオイルを収容する複数のオイルカートリッジを内部に保持するハウジングと、
前記ハウジング内に設けられた送風機と、
を備え、
前記複数のオイルカートリッジから揮発した、異なる種類の前記アロマオイルまたはエッセンシャルオイルの芳香揮発成分を前記ハウジング内で混合し、放散することを特徴とする、芳香拡散装置。
【請求項２】
前記ハウジング内には、ヒーターが設置される、請求項１に記載の芳香拡散装置。
【請求項３】
前記オイルカートリッジにおいて、前記アロマオイルまたはエッセンシャルオイルは、カートリッジ底部から揮発する、請求項１または２に記載の芳香拡散装置。
【請求項４】
前記オイルカートリッジは、
前記アロマオイルまたはエッセンシャルオイルを収容する容器本体と、
前記容器本体の開口部を密閉するように設けられ、撥油性であり、PTFEからなる多孔質フィルムである通気性フィルムと、
開口部を有し、前記通気性フィルムの上から前記容器本体に嵌合される蓋部とを有し、
前記アロマオイルまたはエッセンシャルオイルの芳香成分が前記容器本体の開口部、前記通気性フィルムおよび前記蓋部の開口部を通過し、前記通気性フィルムが下側、前記容器本体が上側にして配置される、
請求項３に記載の芳香拡散装置。
【請求項５】
前記オイルカートリッジは、前記送風機よりも上方かつ下流側に設置される、請求項３または４に記載の芳香拡散装置。
【請求項６】
前記オイルカートリッジは、前記送風機よりも上方かつ上流側に設置される、請求項３または４に記載の芳香拡散装置。
【請求項７】
前記芳香拡散装置は、
前記オイルカートリッジを保持するカートリッジ保持部およびヒーターを備える、カートリッジ保持ユニットと、
前記カートリッジ保持ユニットの下方に接合され、内部にファンを備えるファン内蔵ユニット、および、
前記カートリッジ保持ユニットの上部を覆う、カバーを含み、
空気の吸気口が前記カバーに設けられ、混合芳香揮発成分を含む気体を放出する放出口が前記ファン内蔵ユニットに設けられている、請求項６に記載の芳香拡散装置。
【発明の詳細な説明】
【技術分野】
【０００１】
本発明はアロマオイルやエッセンシャルオイルを収容した容器から揮発した芳香を混合し、拡散させる芳香混合拡散装置に関する。
【背景技術】
【０００２】
従来、心身のリラクゼーション、美容、健康促進のためのアロマテラピーや、消臭や殺菌等を目的として、アロマオイルやエッセンシャルオイルを発生、拡散させる芳香発生装置が知られている。エッセンシャルオイル（精油）は、植物の花、葉、果皮、樹皮、根、種子などから抽出した天然の素材であり、有効成分を高濃度に含有した揮発性の芳香物質である。アロマオイル（香油）は、エッセンシャルオイル（精油）をアルコールやキャリアオイルなどで希釈し、バーナーなどの器具を使い芳香を楽しんだり、或いはフレグランス効果を得るために化粧品として体に直接使用される油製品である。
【０００３】
ところで、アロマオイルやエッセンシャルオイルは、目的に応じて、又は使用者の好みに応じて複数種のオイルをブレンドして用いられることが多い。従来は、事前に複数のオイルを液体の状態でブレンドされたブレンドオイルを作成し、そのブレンドオイルを様々な方法によって揮発拡散させていた。しかし、ブレンド作業時に、オイルがこぼれる事故が起きたり、ごみ等が混入したり、ブレンド間違いにより、オイルのロスが発生するという問題があった。また、エッセンシャルオイルやアロマオイルの性質として、重く揮発しにくい成分が下方へ、軽く揮発しやすい成分が上方に存在しており、柑橘系のような揮発しやすい成分は先に揮発してしまい重い成分だけが残ってしまう。そのため、香りの成分が経時的に変化してしまうという問題があった。
【０００４】
特許文献１は、エッセンシャルオイルが収容された複数のエッセンシャルオイルカートリッジ（７〜１１）と、カートリッジを保持するカートリッジユニット（６）を備え、各カートリッジから滴下された複数種のエッセンシャルオイルを吸収容器（６）に吸収させ、吸収容器から芳香気体を放香させるアロマテラピー装置を開示している。
【０００５】
特許文献２は、複数の気流管を束ねてバーチャル砲筒とし、気流管内の圧力を高めて気体を放出する気体放出装置を開示し、気流管には、香料を管壁に蓄積させた香り供給部３０を設けることや、液体香料を用いる場合には、毛細管現象で香料蓄積機構３１の微細構造の内部に香料を蓄積させることが記載されている。
【先行技術文献】
【特許文献】
【０００６】
【特許文献１】特開２００８−２６４１８９号公報
【特許文献２】国際公開第２００８／０７２７４４号
【発明の概要】
【発明が解決しようとする課題】
【０００７】
しかしながら、特許文献１のアロマテラピー装置では、エッセンシャルオイルの配合は容易になったものの、エッセンシャルオイルの原液を滴下するため、供給量を誤って吸収容器（６）の吸収量を超えた場合や事故で装置が倒れた場合に原液が漏れる可能性があり、安全性に課題が残る。
【０００８】
また、特許文献２の気体放出装置は、圧力を高める必要があり、また、毛細管現象を用いて液体香料を蓄積させるため装置が大型で煩雑になり、日常的な使用には向かない。また、安定的に、均一な香り成分を提供することは難しい。
【０００９】
そこで、本発明は、安全にかつ容易に、異種のエッセンシャルオイルまたはアロマオイルが混合された、混合芳香揮発成分を放散することが可能で、長時間にわたり均一な芳香成分を拡散できる、芳香拡散装置を提供する。
【課題を解決するための手段】
【００１０】
本発明は、異なる種類のアロマオイルまたはエッセンシャルオイルを収容する複数のオイルカートリッジを内部に保持するハウジングと、前記ハウジング内に設けられた送風機と、を備え、前記複数のオイルカートリッジから揮発した、異なる種類の前記アロマオイルまたはエッセンシャルオイルの芳香揮発成分を前記ハウジング内で混合し、放散することを特徴とする、芳香拡散装置である。
【００１１】
これによれば、送風機による気流により、複数のオイルカートリッジ内に収容された各種のアロマオイルまたはエッセンシャルオイル（以降、オイルとも称する）の揮発が促進され、各カートリッジ内から揮発した複数種類の芳香揮発成分が送風機および送風機による気流によって混合され放散される。そのため、アロマオイルまたはエッセンシャルオイルを原液の状態でブレンドすることなく、安全に、数種類がブレンドされた芳香を拡散できる。
【００１２】
また、例えば柑橘系等のオイルは揮発しやすい等、オイルによって揮発速度が異なるが、本発明によれば、それぞれの芳香成分の比率が経時的に変化することがなく、安定的に芳香を拡散できる。
【００１３】
前記ハウジング内には、ヒーターが設置されることが好ましい。
【００１４】
これにより、ヒーターの熱により暖められた空気がハウジング内で対流しオイルカートリッジに接触することにより、または直接オイルカートリッジ内のオイルを暖めることにより、カートリッジ内のオイルの揮発がさらに促進される。
【００１５】
また、前記オイルカートリッジにおいて、前記アロマオイルまたはエッセンシャルオイルは、カートリッジ底部から揮発することが好ましい。
【００１６】
これによれば、柑橘系などの軽い揮発成分だけが勢いよく揮発してしまうのを防ぐことができ、軽い成分と重い成分両方を含め送風機により対流しながら放散されるため、安定的な香りを放散することが可能である。
【００１７】
前記オイルカートリッジは、前記アロマオイルまたはエッセンシャルオイルを収容する容器本体と、前記容器本体の開口部を密閉するように設けられ、撥油性であり、PTFEからなる多孔質フィルムである通気性フィルムと、開口部を有し、前記通気性フィルムの上から前記容器本体に嵌合される蓋部とを有し、前記アロマオイルまたはエッセンシャルオイルの芳香揮発成分が前記容器本体の開口部、前記通気性フィルムおよび前記蓋部の開口部を通過し、前記通気性フィルムが下側、前記容器本体が上側にして配置されることが好ましい。
【００１８】
PTFE（ポリテトラフルオロエチレン）は酸やアルカリの腐食に強く、その多孔膜は撥水性に富み、水を通さず空気・蒸気を通す材料である。本発明では撥油性のPTFE通気性フィルムを用いているため、通気性フィルムにオイルが接触してもオイルが浸透することはなく、芳香揮発成分だけが通過する。このため、通気性フィルムを下方にして設置しても、オイルがこぼれることなく、安全に使用できる。また、PTFEは耐薬品性に優れているため、通気性フィルムがオイルにより溶ける虞がなく、長期間にわたり安全に使用できる。
【００１９】
前記オイルカートリッジは、前記送風機よりも上方かつ下流側に設置されることが好ましい。
【００２０】
これにより、オイルカートリッジの下方に設けられた揮発部（通気性フィルム）に送風機からの気流が直接当たり、オイルの揮発が促進される。また、各オイルカートリッジからの揮発成分を十分に混合してから放散することができる。
【００２１】
前記オイルカートリッジは、前記送風機よりも上方かつ上流側に設置されることが好ましい。
【００２２】
一般的に大気より芳香揮発成分の方が比重が重いため、下部に気室を設け混合することで、複数のオイルカートリッジから揮発した異なる芳香揮発成分が、送風機により効率よく混合される。
【００２３】
前記芳香拡散装置は、前記オイルカートリッジを保持するカートリッジ保持部およびヒーターを備える、カートリッジ保持ユニットと、前記カートリッジ保持ユニットの下方に接合され、内部にファンを備えるファン内蔵ユニット、および、前記カートリッジ保持ユニットの上部を覆う、カバーを含み、空気の吸気口が前記カバーに設けられ、混合芳香揮発成分を含む気体を放出する放出口が前記ファン内蔵ユニットに設けられていることが好ましい。
【発明の効果】
【００２４】
本発明の芳香拡散装置により、アロマオイルまたはエッセンシャルオイルを原液のまま混合することなく、揮発状態で混合された芳香揮発成分を放散することができ、安全性が高い。また、各オイルの配合比が経時的に安定した芳香成分を放散できる。
【図面の簡単な説明】
【００２５】
【図１】本発明の第一実施形態における芳香拡散装置１の断面図である。
【図２】同実施形態において、カバー部およびオイルカートリッジを取り外した状態の芳香拡散装置の斜視図である。
【図３】同実施形態において、オイルカートリッジの断面図である。
【図４】本発明の第二実施形態における芳香拡散装置２０１のカバー部およびオイルカートリッジを取り外した状態の斜視図である。
【図５】同実施形態において、カートリッジ保持ユニットＹをファン内蔵ユニットＸから取り外した状態の斜視図である。
【図６】同実施形態において、カートリッジ保持ユニットＹをファン内蔵ユニットＸから取り外した状態における、カートリッジ保持ユニットＹの底面図である。
【発明を実施するための形態】
【００２６】
本発明の第一実施形態における芳香拡散装置１について、図１〜３を参照して以下に説明する。
【００２７】
第一実施形態の芳香拡散装置１は、図１〜図２に示すように、装置本体２とカバー部３からなるハウジングと、ハウジング内に配置され、複数のオイルカートリッジ４が載置されるカートリッジ保持部２４と、送風機であるファン５と、ヒーターユニット６を備える。装置本体２は、筒状の本体上部２１、本体中部２２、筒状の本体下部２３が嵌合して構成される。本体下部２３は本体上部２１よりも断面積が大きく、本体中部２２は下方へ拡径するための段部を有し、前記段部の内壁部には水平で円形のカートリッジ保持部２４を有する。
【００２８】
カートリッジ保持部２４は、中央から放射状に延びるリブ２５と環状なリブ２６を有し、図１に示すようにハウジング内を上領域Ａと下領域Ｂに分割している。上領域Ａは、オイルカートリッジ４が保持される領域であり、下領域Ｂはファン５を含む領域になっている。カートリッジ保持部２４上には、最大５個の複数のオイルカートリッジ４を配置し保持できる。複数のオイルカートリッジ４は着脱可能である。カートリッジ保持部２４には、リブ２５、２６以外の場所が開口部２７として形成される。カートリッジ保持部２４は、上述した形態に限定することはなく、例えば各オイルカートリッジ４をハウジングの本体上部２１の内壁部に設けた固定部により吊り下げて保持することも可能である。
【００２９】
複数のオイルカートリッジ４には、それぞれ異なる種類のアロマオイルまたはエッセンシャルオイルの原液（以降、オイルとも称する）が収容されている。すなわち、一つのオイルカートリッジには一種類のオイルが収容され、他のオイルカートリッジには他の一種類のオイルを収容している。例えば、５本のオイルカートリッジが配置されている場合、一例としてオイルカートリッジ４aにはオレンジ精油、オイルカートリッジ４ｂにはレモン精油、オイルカートリッジ４ｃにはティーツリー精油、図示しない他の二つのオイルカートリッジにはクローブ精油およびサンダルウッド精油が収容され、その結果、５種類のオイルの混合芳香成分が放散される。
【００３０】
複数のオイルカートリッジ４は全てが異なる種類のオイルを収容する必要はなく、例えば、３本のオイルカートリッジがオレンジ精油を収容し、２本のオイルカートリッジがサンダルウッド精油を収容する等、同じ種類のオイルを収容したオイルカートリッジを含むことも可能である。オイルカートリッジ４全体として少なくとも２種類のオイルが収容される。また、互いに収容されるオイルが異なるオイルカートリッジが２本以上含まれる。
【００３１】
上記の例の他、オイルカートリッジ4ａに二種類以上のオイルを収容し、他のオイルカートリッジ４ｂに他の二種類以上オイルを収容するなど、様々な形態が可能である。
【００３２】
カバー部３は、装置本体２の本体上部２１の開口部を覆うものであり、装置本体２に対して着脱可能である。カバー部３の上面には、図１の紙面垂直方向に延びるように開口する、複数の楕円形の放出口３１が形成されている。ファン５は、本体中部２２および本体下部２３で形成される領域内、すなわち下領域B内に設けられる。本実施形態においては、ファン５としてプロペラファン等の軸流ファンを用いている。ファン５は、複数のオイルカートリッジ４よりも下方に設けられており、上方向への流れを形成する。従って、オイルカートリッジ４はファン５よりも下流側に存在する。各々のオイルカートリッジ４内に収容されたオイルが揮発した各々の芳香揮発成分は、ファン５によって、または、ファン５によって作られる気流によって、混合され混合芳香揮発成分となり、放出口３１から放出され、周囲に拡散される。また、装置本体２の本体下部２３の側面には、図示しない吸気口が形成され、外部の空気が装置本体２に取り込まれる。
【００３３】
装置本体２の本体下部２３の底部領域には、ヒーターユニット６が配置される。また、下領域B内の、ファン５とオイルカートリッジ４の間の領域には温度センサ７が取り付けられる。温度センサ７によって温度を測定し、図示しないヒーター制御部によって、ハウジングの下領域Ｂの温度が３５〜５０度になるようにヒーターユニット６を制御している。
【００３４】
カートリッジ保持部２４の裏面には、ファン５を駆動するモータ部５１が取り付けられ、軸部を介してファン５を駆動する。
【００３５】
ハウジングの外周部には、ファン５およびヒーターユニット６の駆動を制御するスイッチ８が設けられている。使用者がスイッチ８をＯＮにすれば、ファン５およびヒーターユニット６が駆動し、暖められた空気がハウジング内を対流する。
【００３６】
次に、オイルカートリッジ４の構造について説明する。図３に示すように、オイルカートリッジ４は開口部を有する円筒状の容器本体４１と、前記容器本体４１の開口部を密閉するように設けられた円形の通気性フィルム４２と、前記通気性フィルム４２の上から前記容器本体４１に嵌合される、上面視で円形の蓋部４３とを有する。
【００３７】
蓋部４３は開口部４４を有している。蓋部４３内面と容器本体４１の外面はねじによって係合し、蓋部４３と容器本体４１の間に配置される通気性フィルム４２を圧力により固定し、密閉させている。密閉する方法として、粘着層を有する通気性フィルム４２を使用することも可能であるが、粘着剤自体がオイルにより溶け、粘着（糊）成分が香りに影響を及ぼすことや、隙間から漏れることが想定されるため、圧力により密閉する方が好ましい。
【００３８】
容器本体４１は、耐薬品性の優れる材料から成り、例えば、ガラス、ステンレス、PTFE製が好ましい。容器にPTFEが用いられた場合は、PTFEは気体も液体も通さない材料が好ましい。
【００３９】
前記通気性フィルム４２は撥油性であり、PTFE（ポリテトラフルオロエチレン）からなる多孔質フィルムである。PTFEは耐薬品性に優れ、エッセンシャルオイルやアロマオイルの原液に長時間接触しても、溶けることはない。前記通気性フィルム４２の厚みは０．１ｍｍ〜０．８ｍｍが好ましい。厚みが０．１ｍｍより小さいとフィルムが物理的衝撃に弱いという欠点があり、厚みが０．８ｍｍより大きいと、揮発したオイルが通過しにくく、香りの発生が不十分になる。前記通気性フィルムは単層で用いてもよいし、複層で用いてもよいが、複層で用いた場合も、複層での厚みが０．８ｍｍ以下であることが好ましい。本実施形態においては、トーブツテクノ株式会社製、商品番号SEF−０１０−１を用い、外径１２ｍｍ、厚み０．２ｍｍ、孔径１．５μｍ（JISK３８３２に従い測定）、耐水度１２０ｋPa（JISL１０９２（B法  高水圧法）、JISK６４０４−７に従い測定）、通気度３８sec/100cm3（JISP８１１７に従い測定）の、撥油性を有するPTFE製多孔質フィルムを単層で用いた。
【００４０】
通気性フィルム４２は撥油性を有するため、オイルカートリッジ４の通気性フィルム４２が下方になるように配置されても、容器本体内のオイル４５が浸透して漏れることはなく、揮発成分のみを通気性フィルム４２を介して発生させることができる。撥油性は、例えば通気性フィルム４２の表面をフッ素含有炭化水素やパーフルオロアルキル基を有する重合体等の撥油剤により被膜されることによって発現され、エンジンオイル、ガソリン、イソプロピルアルコール、エタノールのそれぞれの薬液を滴下１分後でも各薬剤が浸透しない性能を有することが好ましい。なお、通気性フィルム４２の例としては、特開２０１２−２３６１８８、特開２０１３−２３０４５９号公報、特開２０１３−６６８３９を参照されたい。オイルの芳香揮発成分は、容器本体４１の開口部、通気性フィルム４２、蓋部４３の開口部４４を通過して、オイルカートリッジの外部に放散される。
【００４１】
本実施形態において、オイルカートリッジ４が芳香拡散装置１に設置される際は、通気性フィルム４２が下方にくるように、すなわち図３から１８０度回転させた状態で配置されている。
【００４２】
芳香拡散装置１では、使用者がスイッチ８をＯＮにすると、ファン５およびヒーターユニット６が駆動し、吸気口から外部の空気を吸い込み、ハウジングの下領域Ｂにおいて３５〜５０度の温かい空気が対流する。その結果、通気性フィルム表面にも温かい空気が対流し、オイルカートリッジ内のオイルの揮発が促進される。オイルが揮発した芳香揮発成分は、ハウジング内の下領域Ｂにおいてファン５により混合され、ファン５により上方へ流れ、混合された芳香揮発成分がカートリッジ保持部２４の開口部２７を通り、カバー部３の放出口３１から放出され、周囲に拡散される。
【００４３】
本実施形態においては、オイルカートリッジ４に収容されるオイルのうち、例えば柑橘系のような軽い成分の種類のオイルは揮発が早く、重い成分の種類のオイルは揮発が遅いため、収容するオイルの種類によって、オイルが無くなるタイミングが異なる。オイルが無くなったオイルカートリッジから、新しいものに取り換えることができる。オイルカートリッジ４は、カバー部３を取りはずすことにより、容易に交換できる。これにより、無くなったオイルカートリッジ４を交換するだけで、オイルの揮発のしやすさの差異にかかわらず、安定的な香りを放散できる。
【００４４】
また、本実施形態においては、柑橘系などの軽い揮発成分だけが勢いよく揮発してしまうのを防ぐことができ、軽い成分と重い成分両方を含め送風機により対流しながら放散されるため、安定的な香りを放散することが可能である。
【００４５】
次に、第２実施形態の芳香拡散装置２０１について、図４〜６を参照して説明する。この芳香拡散装置２０１は基本的には芳香拡散装置１と同様の構成を備えるので、各構成に付す符合は第１実施形態におけるものの２００番台とし、第１実施形態と共通する点についてはこれを援用し、説明を省略する。
【００４６】
第１実施形態では、芳香拡散装置１内において、空気および芳香揮発成分が上方向へ流れていたが、第２実施形態では、芳香拡散装置２０１内において、空気および芳香揮発成分が下方向へ流れることを特徴とする。
【００４７】
芳香拡散装置２０１は、図４〜６に示されるように、本体中部２２２、本体下部２２３、およびファン２０５を含むファン内蔵ユニットＸと、カートリッジ保持部２２４、本体上部２２１、およびヒーターユニット２０６を含む、カートリッジ保持ユニットＹと、図４〜６には図示しない、吸気口２３１が形成されているカバー部２０３を備える。ファン２０５は、上方向から空気を取り込み、下方向への流れを形成し、前記カートリッジ保持部２２４上に載置される複数のオイルカートリッジ２０４は、前記送風機よりも上流側に存在する。
【００４８】
本体中部２２２、本体下部２２３、本体上部２２１、および本体上部２２１の上端開口部を覆うカバー部２０３は、芳香拡散装置２０１のハウジングを構成する。カバー部２０３は、第１実施形態におけるカバー部３と同じ形状であるが、空気の流れが逆向きのため、カバー部２０３に設けられた楕円形の開口は吸気口２３１として機能する。なお、吸気口２３１は必ずしもカバー部２０３に設ける必要はなく、本体上部２２１の側面に設けることも可能である。ファン内蔵ユニットＸ内の領域は下領域Ｂであり、カートリッジ保持ユニットＹとカバー部２０３内の領域は上領域Ａである。
【００４９】
カートリッジ保持部２２４は、中央から放射状にのびるリブ２２５と環状なリブ２２６が一部切欠いたものの上に、格子状のリブ２２８が重なって形成されている。リブ２２４、２２６、２２８いずれも存在しない場所が開口部２２７となる。リブ２２５、２２６の切欠き部内で格子状のリブ２２８が存在しない場所には、ヒーターユニット２０６が設置され、カートリッジ保持部２２４上に配置した複数のオイルカートリッジ２０４およびその周辺の空気を暖め、オイルの揮発を促進させる。オイルカートリッジ２０４は、第１実施形態と同様の構成のオイルカートリッジであり、通気性フィルムが下になるように配置される。また、複数のオイルカートリッジ２０４には、それぞれ異なる種類のオイルが収容されている。
【００５０】
図４に示す通り、本体上部２２１の外周面を断熱材２１０により覆うことにより、ヒーターユニット２０６による熱の外部への伝達を抑制し、ハウジング内の温度を効率よく高めている。
【００５１】
ヒーターユニット２０６を用いる代わりに、またはヒーターユニット２０６に加えて、本体上部２２１の内周面に炭素繊維から成るシートを設置し、シートに通電することによりそれ自体をヒーターとして利用することも可能である。
【００５２】
カートリッジ保持ユニットＹ内には図示しない温度センサ７が取り付けられる。温度センサ７によって温度を測定し、図示しないヒーター制御部によって、ハウジングの上領域Ａ内の温度が３５〜５０度になるようにヒーターユニット２０６を制御している。
【００５３】
ファン内蔵ユニットＸにおいては、カートリッジ保持ユニットＹが設置されたときにリブ２２５、２２６と一体化するリブが上面に配置され、そのリブの下方にファン２０５が配置されている。ファン２０５は、第一実施形態とは形状が異なり、ターボファン等の遠心ファンを用いる。ファン内蔵ユニットの側面において、本体中部２２２の一部に、ファン２０５と同じ高さに放出口２０９が設けられている。放出口２０９は、図示した場所に限定することなく、例えばスイッチ２０８付近に配置してもよい。
【００５４】
本実施形態の芳香拡散装置２０１では、使用者がスイッチ２０８をＯＮにすると、ファン２０５およびヒーターユニット２０６が駆動し、カバー部２０３に設けられた吸気口２３１から外部の空気を吸い込む。一方、ハウジング内の上領域Ａ、すなわち、カートリッジ保持ユニットＹ内において、ヒータ―ユニット２０６によりオイルカートリッジ２０４が直接暖められることにより、また、対流する暖かい空気により、オイルの揮発が促進される。揮発したオイルに含まれる芳香揮発成分は、大気よりも密度が高く、吸気口２３１から流れ込んだ空気の流れに伴って、効率的に下方へ流れ、下領域Ｂ、すなわち、ファン内蔵ユニットＸ内に入り、ファン２０５により混合され、放出口２０９により放出され、周囲に拡散される。
【００５５】
本実施形態においても、オイルの揮発のしやすさの差異にかかわらず、安定的な香りを放散できる。また、オイル原液を混合することなく、気体状態の芳香揮発成分を混合するために、安全である。さらに、本実施形態においては、柑橘系などの軽い揮発成分だけが勢いよく揮発してしまうのを防ぐことができ、軽い成分と重い成分両方を含め送風機により混合され、放散されるため、安定的な香りを放散することが可能である
【００５６】
本発明は、上述の実施の形態に限定されるものではなく、本発明の技術的思想を逸脱しない範囲において、改変等を加えることが出来るものであり、それらの改変、均等物等も本発明の技術的範囲に含まれる。
【符号の説明】
【００５７】
１、２０１・・・芳香拡散装置
２、２０２・・・装置本体
２１、２２１・・・本体上部
２２、２２２・・・本体中部
２３、２２３・・・本体下部
２４、２２４・・・カートリッジ保持部
２５、２６、２２５、２２６、２２８・・・リブ
２７、２２７・・・開口部
３、２０３・・・カバー部
３１・・・放出口
２３１・・・吸気口
４、２０４・・・オイルカートリッジ
４１・・・容器本体
４２・・・通気性フィルム
４３・・・蓋部
４４・・・開口部
４５・・・エッセンシャルオイルまたはアロマオイル
５、２０５・・・ファン
５１・・・モーター部
６、２０６・・・ヒーターユニット
７・・・温度センサ
８、２０８・・・スイッチ
２０９・・・放出口
２１０・・・断熱材
Ｘ・・・ファン内蔵ユニット
Ｙ・・・カートリッジ保持ユニット
【図１】
2019181211.tif 000003
【図２】
2019181211.tif 000004
【図３】
2019181211.tif 000005
【図４】
2019181211.tif 000006
【図５】
2019181211.tif 000007
【図６】
2019181211.tif 000008